(57)【要約】【課題】十分な潅水機能及び通気機能を備えて、緑化植物の育苗から生育管理までを簡単にしかも確実に行うことのできる緑化装置を提供すること。【解決手段】  緑化装置を構成している支持脚４０を、装置本体１０の底板に形成した挿入口１６に挿通されて、底板上に開口する第１通孔を有した挿入筒部と、この挿入筒部と一体的な脚部と、この脚部に形成されて、第１通孔に連通することになる第２通孔とを備えたものとしたこと。【選択図】図６
2005328774.tif 000002
【特許請求の範囲】
【請求項１】
緑化を行うための栽培土が収納される装置本体と、これとともに使用されることになる枠体と、前記装置本体を下側から支えることになる支持脚とからなる緑化装置であって、
前記支持脚を、前記装置本体の底板に形成した挿入口に挿通されて、前記底板上に開口する第１通孔を有した挿入筒部と、この挿入筒部と一体的な脚部と、この脚部に形成されて、前記第１通孔に連通することになる第２通孔とを備えたものとしたことを特徴とする緑化装置。
【請求項２】
前記支持脚の脚部の一部に、前記装置本体の下面が係止されることになる段部を形成したことを特徴とする請求項１に記載の緑化装置。
【請求項３】
前記装置本体の下面が係止されることになる段部を平坦面としたことを特徴とする請求項２に記載の緑化装置。
【請求項４】
前記支持脚の挿入筒部及び脚部内に、吸水材を挿入したことを特徴とする請求項１〜請求項３のいずれかに記載の緑化装置。
【発明の詳細な説明】
【技術分野】
【０００１】
本発明は、ビルの屋上、マンション等のベランダ、家庭の庭、展示会場、公園、ゴルフ場等の種々な場所の緑化を行う緑化装置に関するものである。
【背景技術】
【０００２】
近年、ビルの屋上、マンション等のベランダ、家庭の庭等の種々な場所に緑化を積極的に行うことが盛んになってきている。緑化を行えば、屋上やベランダ等を憩いの空間とすることができるだけでなく、空気の浄化や、夏場であればビルの冷房にも役立つからである。
【０００３】
緑化は、植物が生育するための栽培土が必要であることは当然として、事業として行う場合には、施工場所とは異なった場所で緑化植物の「育苗」を行わなければならず、育苗時にも施工完了時にも「潅水」が必要であることから、その施工を完成するには結構大変な作業が必要である。そのため、緑化施工のための種々な緑化用資材や施工方法が、例えば特許文献１や特許文献２等で提案されているのである。
【０００４】
また、植物が生育するには、空気（酸素）が必要なことも良く知られている。例えば、上記の潅水が過剰で、この過剰時間が長くなると、所謂「根腐れ」を発生させてしまうことがあり、折角生育し始めた緑化植物を枯らしてしまうことになる。つまり、緑化植物に限らず、どんな植物にとっても水は十分ある必要がある反面、土中には一定の空気も必要なのであって、特に人工的な緑化において、この水と空気のバランスを良くしないと、良好な緑化が行えないのである。
【特許文献１】特開平６−２２５６５１号公報、要約、代表図
【特許文献２】特開平１１−３１８２４３号公報、要約、代表図
【発明の開示】
【発明が解決しようとする課題】
【０００５】
特許文献１に記載された「栽培装置、およびそれに使用する給水用インサート具」は、「栽培用器具に植え込まれている各種園芸植物に対し、底面吸水を可能にするための改良された栽培装置と、それに使用する給水用インサート具とを提供」することを目的としてなされたもので、図２０にも示すように、「給水用インサート具を、培土の充填された栽培容器底部から強制的に差し込み、吸水芯の上方側露出部分は栽培容器内培土に接触状、同下方側露出部分は栽培容器底部から垂下状として、受け皿内に脱着自在に固定された台座上に支持させ、栽培容器下方からの溶液を、培土内所定高さ位置以上の培土からその周辺および下方に向けて給水し得る如くしてなる」構成を有したものである。
【０００６】
この特許文献１に記載された「栽培装置、およびそれに使用する給水用インサート具」は、「給水用インサート具を、培土の充填された栽培容器底部から強制的に差し込」むだけで、「栽培容器下方からの溶液を、培土内所定高さ位置以上の培土からその周辺および下方に向けて給水し得る」ものであるが、次のような問題がある。
【０００７】
つまり、この特許文献１の技術では、「給水用インサート具を、培土の充填された栽培容器底部から強制的に差し込」む必要があって、この差込時に、折角伸びた根や地下茎を切ってしまうことが十分あり得る。
【０００８】
これに対して、特許文献２に記載された「潅水用植栽マット」は、「人工地盤上での植栽を可能とし、水枯れや根腐れの心配がない潅水用植栽マットを提供する」ことを目的としてなされたもので、図２１及び図２２に示すように、「上部が開口するように少なくとも一つのセルが凹設され、底部近傍に通水手段を有するマットフレームを、貯水槽に収納し、該マットフレームの底部外面と該貯水槽の底部内面との間に貯水空間を形成可能である灌水用植栽マット。マットフレームの底部外面にセル内に開放する中空脚部を突設し、通水手段として該中空脚部の底部近傍に隆起部を形成し、該隆起部の所要箇所の上面に通水口を設けると好適である。また、上記灌水用植栽マットで、マットフレームの底部外面と貯水槽の底部内面との間に支持脚部を設け、通水手段として前記マットフレームの底部に開口穴を穿設し、所定箇所の開口穴に水分吸収体を設けること」といった構成を有したものである。
【０００９】
しかしながら、この特許文献２に記載された「灌水用植栽マット」は、「底部近傍に通水手段を有するマットフレームを、貯水槽に収納し、該マットフレームの底部外面と該貯水槽の底部内面との間に貯水空間を形成可能」とするものであるため、図２１の例では、「中空の脚部７」が必要であるし、図２２に示した例では、「支持脚部１３」をそれぞれ「マット４」と一体的に形成しなければならないものとなっている。つまり、この特許文献２の「灌水用植栽マット」では、これらの脚部７あるいは支持脚部１３を通しての通気が不可能になっており、上述した「根腐れ」の問題を解決できるものとはなっていないのである。
【００１０】
何故なら、この特許文献２の「灌水用植栽マット」では、図２１に示した「中空の脚部７」の底面７ａ近傍に、「脚部７の側面から底面に亘って通水口９」が形成されるものであるため、この脚部７の下部が水没していれば、通気は全く行えないからである。勿論、図２２に示した支持脚部１３についても、通気が行えるような構造にはなっていないから、これを通しての通気は全く不可能となっているのである。
【００１１】
それだけでなく、前述した特許文献１の「栽培装置、およびそれに使用する給水用インサート具」も、特許文献２の「灌水用植栽マット」も、ある程度生育した植物の潅水を行うにはよいが、水分吸収体を容器底面に取り付けても抜け落ちてしまう可能性があるだけでなく、この種の「栽培装置」あるいは「マット」は、「苗を育てる」ことについては意を全く用いていないため、使用が限定されているものである。
【００１２】
そこで、本発明者等は、この種の栽培装置あるいは緑化装置について、育苗から生育した植物の管理まで行うことができて、潅水と通気を十分行うことができるようにするにはどうしたらよいか、について種々検討を重ねてきた結果、本発明を完成したのである。
【００１３】
すなわち、本発明の目的とするところは、十分な潅水機能及び通気機能を備えて、緑化植物の育苗から生育管理までを簡単にしかも確実に行うことのできる緑化装置を提供することにある。
【課題を解決するための手段】
【００１４】
以上の課題を解決するために、まず、請求項１に係る発明の採った手段は、後述する最良の形態の説明中において使用する符号を付して説明すると、
「緑化を行うための栽培土３０が収納される装置本体１０と、これとともに使用されることになる枠体２０と、装置本体１０を下側から支えることになる支持脚４０とからなる緑化装置１００であって、
支持脚４０を、装置本体１０の底板１１に形成した挿入口１６に挿通されて、底板１１上に開口する第１通孔４３を有した挿入筒部４１と、この挿入筒部４１と一体的な脚部４２と、この脚部４２に形成されて、第１通孔４３に連通することになる第２通孔４４とを備えたものとしたことを特徴とする緑化装置１００」
である。
【００１５】
すなわち、この請求項１に係る緑化装置１００は、緑化を行うための栽培土３０が収納される装置本体１０と、これとともに使用されることになる枠体２０と、この枠体２０を貯水トレー５０等に対して下から支える支持脚４０とからなるものである。
【００１６】
そして、この緑化装置１００は、図１に示すように、枠体２０を装置本体１０上に載置したとき、この装置本体１０の底板１１上に栽培土３０のための投入空間を枠体２０によって形成するものである。勿論、この投入空間の、栽培土３０が充填されない部分は、緑化植物の発芽または初期成育空間ともなるものであることは言うまでもない。
【００１７】
なお、この緑化装置１００は、図４及び図６に示すように、装置本体１０を上下ひっくり返した枠体２０上に、支持脚４０を入れながら載置したとき、この枠体２０が底板１１を施工面または枠体２０上から一定間隔離間するとともに、底板１１上に育成されている緑化植物を露出できるようにしたものでもある。
【００１８】
支持脚４０は、図３、図１４〜図１９に示すように、装置本体１０の底板１１に形成した、図１及び図３に示す挿入口１６に挿通されるものであり、底板１１上に開口する第１通孔４３を有した挿入筒部４１と、この挿入筒部４１と一体的な脚部４２と、この脚部４２に形成されて、第１通孔４３に連通することになる第２通孔４４とを備えたものである。つまり、この支持脚４０は、基本的には装置本体１０を下から支えるものであるが、挿入筒部４１を通した底板１１下からの上側への通気と、図１７に示すように、この挿入筒部４１内に挿通した吸水材５１による底板１１下からの潅水とを行うものである。
【００１９】
すなわち、この緑化装置１００において採用されている支持脚４０では、その挿入筒部４１上端の開口及び挿入筒部４１に形成してある第１通孔４３と、挿入筒部４１の下側に形成してある第２通孔４４とが当該挿入筒部４１内を通して連通したものであり、挿入筒部４１上端の開口及び第１通孔４３は装置本体１０の底板１１上の栽培土３０に開口し、挿入筒部４１の下端及び第２通孔４４は、当該支持脚４０が載置される貯水トレー５０内に開口しているものである。
【００２０】
ここで、まず、貯水トレー５０内に全く水がない状態のときから話を始めると、装置本体１０上から潅水された水は、栽培土３０内に順次浸透し、浸透仕切れなくなった水は、図８に示すような透水孔１１ｃから貯水トレー５０内に落ちて溜められる。この溜められた水の水面が、図１７中に示したレベル１、つまり各第２通孔４４の上端にまで上昇してくると、各第２通孔４４は塞がれることになり、挿入筒部４１内の空気は、その下端開口や各第２通孔４４からは逃げられなくなるのである。
【００２１】
さらに、水が落ちてくると、その貯水トレー５０内での水面はレベル１より上昇していくことになるが、このとき、この水面は、挿入筒部４１内でも上昇するから、挿入筒部４１内の空気を栽培土３０側に押し上げる作用を発揮することになるのである。
【００２２】
そして、緑化完了後において、緑化装置１００内の栽培土３０は、踏圧等により時間の経過とともに固くなって、発根のための空気の流通が悪くなり、そのままであれば栽培土３０に小さな穴を多数空ける（エアレーションと呼ばれる作業）必要がでてくるのであるが、本発明の緑化装置１００では、栽培土３０内への通気が行える支持脚４０を採用しているので、このようなエアレーション作業は必要がないだけでなく、発根のための空気確保がなされるものとなっているのである。
【００２３】
従って、この緑化装置１００では、これが支持脚４０を有していることによって、装置本体１０上から潅水を始めると、栽培土３０内に対する空気の供給がなされるのである。勿論、貯水トレー５０の上端は、装置本体１０の底板１１より下側に位置しているから、貯水トレー５０内に貯まった水内に、栽培土３０、その中の根あるいは地下茎が水に完全に浸ってしまうことはなく、「根腐れ」を発生することもない。
【００２４】
一方、支持脚４０の挿入筒部４１内に挿入された吸水材５１は、その毛細管現象によって、貯水トレー５０内の水を吸い上げて栽培土３０内に供給する作用を果たすから、一度十分に（上述した通気作用が行える程度に）潅水された水による自動潅水がなされることになることは、言うまでもない。
【００２５】
従って、この請求項１の緑化装置１００は、装置本体１０と枠体２０とを有効に利用することができて、結果的に、緑化のための育苗や施工そのものが簡単になってコストの低減が図られているだけでなく、装置本体１０の下側に設置した支持脚４０によって潅水初期における栽培土３０内への通気が行え、この支持脚４０に吸水材５１を設けておけばこの吸水材５１による自動潅水も行えるのである。
【００２６】
上記課題を解決するために、請求項２に係る発明の採った手段は、上記請求項１に記載の緑化装置１００について、
「支持脚４０の脚部４２の一部に、装置本体１０の下面が係止されることになる段部４５を形成したこと」
である。
【００２７】
すなわち、この請求項２の緑化装置１００では、図１５〜図１７に示すように、その支持脚４０の脚部４２の一部に、装置本体１０の下面が係止されることになる段部４５を、積極的に形成したものである。
【００２８】
この支持脚４０は、装置本体１０の底板１１を、栽培面や貯水トレー５０上に対して支持するものであるため、底板１１が確実に支持されるための段部４５を有しているのである。後述する最良形態の段部４５は、底板１１の裏面中央に開口している挿入口１６の周囲にある補強リブ１１ｂの下面が載置されることになるものであり、図７に示すように、底板１１を支えるのに十分な面積を有したものとなっている。
【００２９】
特に、施工された緑化装置１００上に雨が降ると、これを栽培土３０が含むことになり、緑化装置１００全体の重量は増大して、装置本体の底板１１が撓もうとする。また、施工された緑化装置１００上に人が乗った場合も、底板１１は撓もうとする。そして、このような上からの力によって底板１１が撓もうとすると、芝生６０の表面に凹凸が形成されて、見栄えの悪い芝生面となり得る。しかしながら、この装置本体１０は支持脚４０によって支持されているのであるから、その底板１１が破損したり、枠体２０から外れたり、さらには人の踏み固めによる凹凸面が芝生６０に発生したりするようなことはない。
【００３０】
従って、この請求項２に係る緑化装置１００では、その支持脚４０の段部４５によって装置本体１０の底板１１がしっかりと支えられることになるから、上記請求項１に係る緑化装置１００と同様な機能を発揮する他、当該緑化装置１００を長期間施工したままの状態にしておいても、栽培土３０等の重量によって変形するようなことはなく、耐久性に優れたものとなっているのである。
【００３１】
上記課題を解決するために、請求項３に係る発明の採った手段は、上記請求項２に記載の緑化装置１００について、
「装置本体１０の下面が係止されることになる段部４５を平坦面としたこと」
である。
【００３２】
すなわち、この請求項３の緑化装置１００では、その装置本体１０の下面が係止されることになる段部４５を、図１５〜図１７に示すように、積極的に平坦面を有するものとしたものである。
【００３３】
また、段部４５を平坦面を有するものとすることにより、この支持脚４０による装置本体１０の支持を安定的に行えることは勿論、支えるべき装置本体１０の裏面に形成してある各補強リブ１１ｂが製品によって間隔が異なっていても、装置本体１０の支えを確実に行うことができるのである。
【００３４】
つまり、装置本体１０の底板１１裏面には、図９に示すように、多数の補強リブ１１ｂが形成してあり、これらの補強リブ１１ｂによって底板１１の補強を行っているのである。このため、支持脚４０の段部４５は、これが平坦面を有したものであることから複数の補強リブ１１ｂを受けることができることになり、支持脚４０は、装置本体１０からの荷重を真下に受けることができて、装置本体１０の支持を安定的に行うのである。
【００３５】
従って、この請求項３の緑化装置１００は、上記請求項２のそれと同様な機能を発揮する他、他の形式の装置本体１０についても、その支持を安定的に行うことができるものとなっているのである。
【００３６】
そして、上記課題を解決するために、請求項４に係る発明の採った手段は、上記請求項１〜請求項３のいずれかに記載の緑化装置１００について、
「支持脚４０の挿入筒部４１及び脚部４２内に、吸水材５１を挿入したこと」
である。
【００３７】
すなわち、この請求項４の緑化装置１００においては、支持脚４０の挿入筒部４１内に吸水材５１が挿入されておかれえるものである。この吸水材５１は、上述したように、その毛細管現象によって貯水トレー５０内の水を吸い上げて栽培土３０内に供給する作用を果たすから、一度十分に潅水されて貯水トレー５０内に溜められた水による自動潅水を行うのである。
【００３８】
後述する最良形態の支持脚４０では、図１９に示すように、その挿入筒部４１の上側部分の径を、その下側部分のそれより大きくしてある。これにより、この支持脚４０では、吸水材５１を挿入筒部４１の上側からの挿入したとき、その挿入操作を容易にするとともに、挿入された当該吸水材５１を、これにより径の小さい挿入筒部４１の下側で確実に固定するのである。
【００３９】
従って、この請求項４の緑化装置１００は、上記請求項１〜請求項３のそれと同様な機能を発揮する他、吸水材５１によって自動潅水が行えるものとなっているのである。
【発明の効果】
【００４０】
以上、詳述した通り、本発明においては、
「緑化を行うための栽培土３０が収納される装置本体１０と、これとともに使用されることになる枠体２０と、装置本体１０を下側から支えることになる支持脚４０とからなる緑化装置１００であって、
支持脚４０を、装置本体１０の底板１１に形成した挿入口１６に挿通されて、底板１１上に開口する第１通孔４３を有した挿入筒部４１と、この挿入筒部４１と一体的な脚部４２と、この脚部４２に形成されて、第１通孔４３に連通することになる第２通孔４４とを備えたものとしたこと」
にその構成上の主たる特徴があり、これにより、十分な潅水機能及び通気機能を備えて、緑化植物の育苗から生育管理までを簡単にしかも確実に行うことのできる緑化装置１００を提供することができるのである。
【発明を実施するための最良の形態】
【００４１】
次に、上記のように構成した各請求項に係る発明について、図面に示した最良の形態について説明すると、図１には、本発明に係る緑化装置１００の斜視図が示してある。この緑化装置１００は、例えば合成樹脂を材料として一体的に形成した装置本体１０と、枠体２０と、装置本体１０を貯水トレー５０等の施工面に対して支持する支持脚４０とからなっている。すなわち、受面１３の緑化装置１００は、緑化を行うための栽培土３０が収納される装置本体１０と、これとともに使用されることになる枠体２０と、施工後の装置本体１０を支える支持脚４０とからなるものである。
【００４２】
装置本体１０は、図１〜図１０に示したように、主として、栽培土３０が投入されることになる底板１１と、この底板１１の外周を支える枠部１２と、この枠部１２の上面に形成されて、枠体２０の枠本体２１の下面が載置されることになる受面１３と、枠部１２の下面に形成されて、枠本体２１の端部が嵌合されることになる嵌合凹部１４とを備えたものである。また、この最良形態の枠部１２は、図１及び図１０に示したように、その一部に形成した通口１５を有したものである。
【００４３】
勿論、装置本体１０の底板１１には、図８に示したように、多数の透水孔１１ｃが形成してあって、これらの透水孔１１ｃから余剰となった水分を下方に排水できるようにしてある。本最良形態の装置本体１０は、上述したように合成樹脂を材料として形成したものであるから、図３及び図６に示したように、その裏面側に補強リブ１１ｂが形成してある。
【００４４】
この底板１１の上面外周には、後述する枠体２０を載置するための受面１３が形成してあったが、この受面１３の直ぐ内側に、図３及び図８に示したように、土留枠１１ａが形成してある。この土留枠１１ａは、文字通り、底板１１上に投入された栽培土３０のある程度の土留めを行うものではあるが、枠体２０のための位置決め部材としての役割をも果たすものである。
【００４５】
この装置本体１０の裏面には、図９に示したように、嵌合凹部１４が形成してある。この嵌合凹部１４は、その外側の枠部１２と、この枠部１２の内側の下部内枠１７とによって形成したものであり、枠体２０側の枠本体２１が挿入されることになる部分となるものである。なお、最良形態の下部内枠１７自体にも、図８に示したように、枠部１２に形成したのと同じ通口１５が形成してある。
【００４６】
また、本最良形態の装置本体１０では、図１、図３、図６、及び図９に示したように、その底板１１の中央部に挿入口１６が形成してある。この挿入口１６内には、図６等に示したように、支持脚４０の挿入筒部４１が挿入されることになるものであり、さらにこの挿入筒部４１内には、図１７に示したように、下側の貯水トレー５０内に貯められている水を吸い上げるための吸水材５１が挿入固定されるものであり、この吸水材５１を介して貯水トレー５０あるいは施工面上の水を緑化装置１００内に導くようにもなされる。
【００４７】
枠体２０は、図１１及び図１２に示したように、主として、装置本体１０上に嵌合されたときに、その底板１１上に投入される栽培土３０を囲い込む枠本体２１と、当該枠体２０を装置本体１０の嵌合凹所１４内に嵌合したとき、枠本体２１を接地面に対して通水口２３を形成した状態で支持する脚部２２とにより構成したものである。
【００４８】
装置本体１０を支えることになる支持脚４０は、図３、図１４〜図１９に示したように、装置本体１０の底板１１に形成した、図１及び図３に示す挿入口１６に挿通されるものであり、底板１１上に開口する第１通孔４３を有した挿入筒部４１と、この挿入筒部４１と一体的な脚部４２と、この脚部４２に形成されて、第１通孔４３に連通することになる第２通孔４４とを備えたものである。
【００４９】
つまり、この支持脚４０は、基本的には装置本体１０を下から支えるものであるが、挿入筒部４１を通した底板１１下からの上側への通気と、図１７に示すように、この挿入筒部４１内に挿通した吸水材５１による底板１１下からの潅水とを行うものである。
【００５０】
すなわち、この緑化装置１００において採用されている支持脚４０では、その挿入筒部４１上端の開口及び挿入筒部４１に形成してある第１通孔４３と、挿入筒部４１の下側に形成してある第２通孔４４とが当該挿入筒部４１内を通して連通したものであり、挿入筒部４１上端の開口及び第１通孔４３は装置本体１０の底板１１上の栽培土３０に開口し、挿入筒部４１の下端及び第２通孔４４は、当該支持脚４０が載置される貯水トレー５０内に開口しているものである。このため、第１通孔４３は、挿入筒部４１の上端部にのみ形成するのが好ましいが、挿入筒部４１の側面は装置本体１０の挿入口１６を形成している部分によって塞がれることになるから、挿入筒部４１の側面に形成して実施してもよい。
【００５１】
また、この支持脚４０では、図１５〜図１８に示したように、その挿入筒部４１を囲むような脚部４２が一体的に形成してあるが、この脚部４２に、上述した第２通孔４４が形成してあるのである。そして、この脚部４２には、第２通孔４４以外は開口する部分がないため、内部に空気を密閉するための空間が形成できるものとなっているのである。
【００５２】
また、この支持脚４０では、図１９に示したように、その挿入筒部４１の上側部分の径を、その下側部分のそれより大きくしてある。これにより、この支持脚４０では、その吸水材５１の、挿入筒部４１の上側からの挿入を容易にするとともに、挿入された当該吸水材５１を挿入筒部４１の下側で確実に固定できるようにしてある。逆に言うと、吸水材５１は、挿入筒部４１の内径より少し大きい外径部分（例えば角柱形状や断面が楕円形状のものの場合）を有するものや、吸水によって多少膨張するものであれば、挿入筒部４１との間に僅かな隙間が形成されるものであってもよい。
【００５３】
この支持脚４０が存在することによって、次のような機能が発揮される。貯水トレー５０内に全く水がないときに、装置本体１０上から水が潅水されると、この水はまず栽培土３０内に順次浸透し、浸透仕切れなくなった水は、図８に示すような透水孔１１ｃから貯水トレー５０内に落ちて溜められる。
【００５４】
この溜められた水の水面が、図１７中に示したレベル１、つまり各第２通孔４４の上端にまで上昇してくると、各第２通孔４４は塞がれることになり、挿入筒部４１内の空気は、その下端開口や各第２通孔４４からは逃げられなくなるのである。さらに、水が落ちてくると、その貯水トレー５０内での水辺はレベル１より上昇していくことになるが、このとき、この水面は、挿入筒部４１内でも上昇するから、挿入筒部４１内の空気を栽培土３０側に押し上げるのである。
【００５５】
つまり、この挿入筒部４１は、これが存在することによって、装置本体１０上から潅水を始めると、栽培土３０内に対する空気の供給を行うのである。勿論、貯水トレー５０の上端は、装置本体１０の底板１１より下側に位置しているから、貯水トレー５０内に貯まった水内に、栽培土３０、その中の根あるいは地下茎が水に完全に浸ってしまうことはなく、「根腐れ」を発生することもない。
【００５６】
また、この最良形態の支持脚４０では、図１５及び図１９に示したように、挿入筒部４１の上部外周に突起４１ａが形成してある。この突起４１ａは、挿入筒部４１を装置本体１０の挿入穴１６に挿通したとき、この挿入穴１６の上端に係合するものであり、特に、装置本体１０を運んだり施工したりする際に、当該支持脚４０が装置本体１０から脱落しないようにするものである。この突起４１ａは、樹脂成形金型をスライド構造とする。
【００５７】
一方、支持脚４０の挿入筒部４１内に挿入された吸水材５１は、その毛細管現象によって、貯水トレー５０内の水を吸い上げて栽培土３０内に供給する作用を果たすから、一度十分に（上述した通気作用が行える程度に）潅水された水による自動潅水がなされることになることは、前述した通りである。
【００５８】
以上のように構成した装置本体１０、枠体２０及び支持脚４０からなる緑化装置１００は、次のようにして使用または施工される。まず、図１に示したように、装置本体１０上に脚部２２が上になるようにして枠体２０を載置することにより、この枠体２０の枠本体２１内に、栽培土３０の収納とこれによる緑化植物の育苗を行う空間を形成する。栽培土３０への播種または育苗を完了させた複数の緑化装置１００は、そのままの状態で段積みして施工場所まで搬送される。
【００５９】
施工現場に搬入した各緑化装置１００は、図２〜図３に示したように、枠体２０をその脚部２２が下になるようにして施工面上に載置してから、その枠本体２１上に装置本体１０を支持脚４０を介して載置するのである。これにより、栽培土３０が上部に位置し、枠本体２１に形成してある脚部２２が施工面に当接して、脚部２２間にある通水口２４を施工面上にて開口するのである。以上の作業を複数の各緑化装置１００について行うことにより、屋上に緑化植物による緑化が広い面積で行われるのである。
【００６０】
以上の施工を行うにあたって、施工面上に、別に用意しておいた枠体２０を上下ひっくり返して載置しておき、この枠体２０上に装置本体１０を載置した後に、当該装置本体１０上にあった枠体２０をその脚部２２が下になるようにして当該装置本体１０の隣に載置するようにしてもよい。このようにすれば、一つの緑化装置１００について装置本体１０と枠体２０との入れ替えを行わなくて済むから、施工作業を効率化できるのである。
【００６１】
なお、施工された各緑化装置１００間が互いに離れないようにするために、図７に示したように、各緑化装置１００の互いに隣接し合う装置本体１０同士を、連結金具１８によって連結するようになされることもある。また、各緑化装置１００間には、図７に示したように、芝生６０がない部分が生ずるが、この部分に目土を投入してこれを埋めれば、境界のない美しい緑化面が形成でき、芝生６０の生育場所も増加させることができるのである。
【００６２】
施工すべき屋上に、十分な潅水設備を用意することができないときは、図６及び図７に示すような貯水トレー５０を使用するとよい。この貯水トレー５０は、枠体２０自体を支持脚４０を介して載置するものであり、その中には一定量の水を溜めておくことができるものである。この貯水トレー５０は、図１４に示したように、複数の緑化装置１００を同時に載置できる大きさのものであってもよい。勿論、この貯水トレー５０内には、緑化装置１００上に潅水された水の余剰分が貯められるのであり、吸水材５１を使用する場合には、その下端がこの貯水トレー５０内に漬けられるものである。
【図面の簡単な説明】
【００６３】
【図１】本発明に係る緑化装置の斜視図である。
【図２】同緑化装置の枠体を外そうとしている状態の斜視図である。
【図３】同緑化装置の枠体を上にしたときの拡大断面図である。
【図４】同緑化装置の外した枠体を下側にしてこの枠体の上に装置本体を載置しようとしている状態の斜視図である。
【図５】枠体上に装置本体が載置されたときの緑化装置の斜視図である。
【図６】同装置本体を支持脚を介して貯水トレー上に載置しようとしている分解断面図である。
【図７】同装置の組立が完了したときの断面図である。
【図８】同緑化装置を構成している装置本体の拡大平面図である。
【図９】同装置本体の底面図である。
【図１０】同装置本体の縦断面図である。
【図１１】緑化装置を構成してる枠体の、左半分を底面とした平面図である。
【図１２】同枠体の縦断面図である。
【図１３】複数の緑化装置を積み上げた状態の拡大縦断面図である。
【図１４】図１３に示した緑化装置のそれぞれを施工する状態を示した概略断面図である。
【図１５】支持脚を示す正面図である。
【図１６】支持脚を示す平面図である。
【図１７】支持脚の、図１６の１−１線に沿って見た縦断面図である。
【図１８】支持脚を示す底面図である。
【図１９】支持脚の挿入筒部を示す部分拡大縦断面図である。
【図２０】従来の技術を示す断面図である。
【図２１】従来の別の技術を示す斜視図である。
【図２２】従来のさらに別の技術を示す斜視図である。
【符号の説明】
【００６４】
１００    緑化装置
１０    装置本体
１１    底板
１１ａ  土留枠
１１ｂ  補強リブ
１１ｃ  透水孔
１２    枠部
１３    受面
１４    嵌合凹部
１５    通口
１６    挿入口
１７    下部内枠
１８    連結金具
２０    枠体
２１    枠本体
２２    脚部
２３    通水口
２４    折り返し部
３０    栽培土
４０    支持脚
４１    挿入筒部
４１ａ  突起
４２    脚部
４３    第１通孔
４４    第２通孔
４５    段部
５０    貯水トレー
５１    吸水材
６０    芝生
【図１】
2005328774.tif 000003
【図２】
2005328774.tif 000004
【図３】
2005328774.tif 000005
【図４】
2005328774.tif 000006
【図５】
2005328774.tif 000007
【図６】
2005328774.tif 000008
【図７】
2005328774.tif 000009
【図８】
2005328774.tif 000010
【図９】
2005328774.tif 000011
【図１０】
2005328774.tif 000012
【図１１】
2005328774.tif 000013
【図１２】
2005328774.tif 000014
【図１３】
2005328774.tif 000015
【図１４】
2005328774.tif 000016
【図１５】
2005328774.tif 000017
【図１６】
2005328774.tif 000018
【図１７】
2005328774.tif 000019
【図１８】
2005328774.tif 000020
【図１９】
2005328774.tif 000021
【図２０】
2005328774.tif 000022
【図２１】
2005328774.tif 000023
【図２２】
2005328774.tif 000024